(57)【要約】組み合わされたラジエータおよび照明アセンブリが提供される。組み合わされたアセンブリは、エネルギー源によって各々電力が供給される少なくとも２つの放射部材（１０、１３）と、少なくとも部分的にリング状の凹形反射面（２０）を含む反射部材（２３）であって、凹形反射面（２０）は、少なくとも部分的なリング形状を含む少なくとも１つの放射部材（１０）に面し、少なくとも部分的にリング状の領域（２１）にエネルギーを配分する、反射部材（２３）とを含み、少なくとも１つの他の放射部材（１３）は、ランプソケットアセンブリに受け取られるように適合されたランプベースアセンブリを含み、焦点領域またはエリアに集中するか、または焦点領域もしくはエリアに分散するように、照明または他の形の放射を提供する。
2009538494.tif 000002
【特許請求の範囲】
【請求項１】
組み合わされたラジエータおよび照明アセンブリであって、
エネルギー源によって電力が供給される少なくとも１つの放射部材であって、該放射部材は、少なくとも部分的なリング形状を含む、少なくとも１つの放射部材（「第１の放射部材」）と、
少なくとも１つの他の放射部材（「第２の放射部材」）と
を備え、該少なくとも１つの他の放射部材は、
熱伝導性層と、
エネルギー源によって電力が供給される放射層であって、該放射層は、該熱伝導性層の少なくとも一部分に埋め込まれた少なくとも１つ放射要素を含む、放射層と、
該熱伝導性層に面する熱絶縁層と、
該熱絶縁層に結合された少なくとも１つのランプベースアセンブリであって、該ランプベースアセンブリは、該放射層に電気的に接続された正および負接触器を含み、該ランプベースアセンブリは、ランプソケットアセンブリに受け取られるように適合される、少なくとも１つのランプベースアセンブリと、
少なくとも部分的にリング状の凹形反射面を含む反射部材であって、該少なくとも部分的にリング状の凹形反射面は、少なくとも１つの放射部材に面し、少なくとも部分的にリング状のエリアまたは領域にエネルギーを分配する、反射部材と
を含む、組み合わされたラジエータおよび照明アセンブリ。
【請求項２】
前記第１の放射部材は、前記反射面の中心点または焦点領域に配置される、請求項１に記載の組み合わされたアセンブリ。
【請求項３】
前記第１の放射部材は、熱伝導性材料によって被覆されるか、またはこの中に包まれる電気抵抗を含む、請求項１に記載の組み合わされたアセンブリ。
【請求項４】
前記第１の放射部材は、金属材料またはケイ素材料もしくは金属材料の酸化物、三二酸化物、炭化物、水和物もしくは硝酸塩によって被覆されるか、またはこの中に包まれる、請求項１に記載の組み合わされたアセンブリ。
【請求項５】
電気抵抗のケーシングは、少なくとも部分的に管状の形状を含む、請求項３または請求項４に記載のアセンブリ。
【請求項６】
前記電気抵抗の前記少なくとも部分的な管状の形状のケーシングの端は、前記反射部材の前記少なくとも部分的にリング状の凹形反射面のアパーチャのほうに向けられ、かつこの中を通され、そのような端は該凹形反射面の背後のリセス内の位置に収容され、かつ固定される、請求項５に記載の組み合わされたアセンブリ。
【請求項７】
前記反射部材は、概ねリング形状を有する、請求項１に記載の組み合わされたアセンブリ。
【請求項８】
前記第１の放射部材は、概ねリング形状を有する、請求項１に記載の組み合わされたアセンブリ。
【請求項９】
前記第２の放射部材は、ランプソケットアセンブリに嵌合するランプベースアセンブリと結合する少なくとも１つの光源または放射源を含む、請求項１に記載の組み合わされたアセンブリ。
【請求項１０】
前記第２の放射部材の前記放射層は、前記熱絶縁層と前記熱伝導性層との間に配置される、請求項１に記載の組み合わされたアセンブリ。
【請求項１１】
前記第２の放射部材の前記熱伝導性層は、金属材料またはケイ素材料もしくは金属材料の酸化物、三二酸化物、炭化物、水和物もしくは硝酸塩を含む、請求項１に記載の組み合わされたアセンブリ。
【請求項１２】
前記第２の放射部材の前記熱伝導性層は、気体または液体の材料を含む、請求項１に記載の組み合わされたアセンブリ。
【請求項１３】
前記第２の放射部材の前記熱伝導性層は、中心点または焦点領域を画定する部分的に球状の形状を含み、
該第２の放射部材の前記放射層は、中心点または焦点領域を画定する部分的に球状の形状を含み、
該熱伝導性層の該中心点または該焦点領域は、該放射層の該中心点または該焦点領域と概ね一致する、請求項１に記載の組み合わされたアセンブリ。
【請求項１４】
前記熱絶縁層は、中心点または焦点領域を画定する部分的に球状の形状を含み、
該熱絶縁層の該中心点または該焦点領域は、前記放射層の前記中心点または前記焦点領域および前記熱伝導性層の前記中心点または前記焦点領域と概ね一致する、請求項１３に記載の組み合わされたアセンブリ。
【請求項１５】
前記熱絶縁層は、前記熱伝導性層の凸側に面する凹側を含み、その結果、前記放射層の前記放射要素は、該熱伝導性層の温度を上昇させ、該放射層の前記中心点または前記焦点領域にエネルギーを集中させる、請求項１３に記載の組み合わされたアセンブリ。
【請求項１６】
前記熱絶縁層は、前記熱伝導性層の凹側に面する凸側を含み、その結果、前記放射層の前記放射要素は、該熱伝導性層の温度を上昇させ、該放射層の前記中心点または前記焦点領域からエネルギーを分散させる、請求項１３に記載の組み合わされたアセンブリ。
【請求項１７】
前記熱絶縁層は、前記熱伝導性層の凸側に面する凹側を含み、その結果、前記放射層の前記放射要素は、該熱伝導性層の温度を上昇させ、該放射層の前記中心点または前記焦点領域にエネルギーを集中させる、請求項１４に記載の組み合わされたアセンブリ。
【請求項１８】
前記熱絶縁層は、前記熱伝導性層の凹側に面する凸側を含み、その結果、前記放射層の前記放射要素は、該熱伝導性層の温度を上昇させ、該放射層の前記中心点または前記焦点領域からエネルギーを分散させる、請求項１４に記載の組み合わされたアセンブリ。
【発明の詳細な説明】
【技術分野】
【０００１】
本発明は、組み合わされたラジエータおよび照明アセンブリに関する。特に、本発明は、エネルギーおよび照明を集中または分散させる新規なコンボタイプの放射および照明アセンブリに関する。
【背景技術】
【０００２】
ランプおよび照明機器ならびに熱放射装置は、家庭、教会、または商業的な他の場所で別々のデバイスとして使用され、暖かく照明のある雰囲気および環境を、時として装飾的な優雅さを添えて提供してきた。
【０００３】
我々が参考として援用する特許文献１（「’３５６公開」）は、様々な種類のラジエータを開示している。
【特許文献１】国際公開第２００５／０７８３５６号パンフレット
【発明の開示】
【課題を解決するための手段】
【０００４】
望まれるものは、熱放射と照明の両方を提供し得る組み合わされたラジエータおよび照明アセンブリである。少なくとも１つの光源または他の放射源を受け取るように適合された少なくとも１つの特別に設計されたランプソケットアセンブリと共に、放射ヒータの底部または中間セグメントに、またはこの近くに形成された開口かつ中空の区間によって、コンボタイプ放射および照明アセンブリは、’３５６公開におけるラジエータを改良し、所望の放射された領域内に放射を提供し得、一方、より小さな焦点領域もしくはエリアに集中するように、またはより大きな領域もしくはエリアに分散するように、照明または他の形の放射を与える。
【０００５】
本発明は、組み合わされたラジエータおよび照明アセンブリに関する。一局面において、所望の放射領域内での放射が提供され、一方、より小さな焦点領域もしくはエリアに集中するか、またはより大きな領域もしくはエリア上に分散するように、照明または他の形の放射を与える。さらなる局面は、一年を通して天井に取り付けられるか、壁に取り付けられるか、あるいは搭載または固定されたコンボタイプのラジエータおよび照明装置を提供することである。このコンボタイプのラジエータおよび照明装置は、暖かい気候の間、コンボタイプ放射および照明装置を格納する必要なく、ガスもしくはプロパンヒータの場合のような危険な燃料を格納する必要もなく、放射および照明装置の近くまたはその下に座っているような人に対し、その人が望むとおりに、かつその人が望むときに、照明および／または赤外線放射（照明および／または他の形の放射のための様々な形の放射の集中および分散の多くの可能なハイブリッド、順序の変更および組み合わせにおいて、事情に応じて次第で選択されたより小さなまたはより大きな焦点領域もしくはエリア内での暖房のための赤外線放射および／または紫外線放射を含むが、これらには限定されない）を提供し得る。
【０００６】
可視光線および放射の他の形は電磁スペクトルの部分であるので、選択された領域または物体へと放射源からの放射の焦点を合わせたり、放射を集中させたり、方向付けたりする開示された本発明または方法の実装は、光ファイバーの束または装置および／または光学レンズ（プリズムを含むがこれに限定されない）、ミラー、反射面、またはこれらのハイブリッド、順序の変更、または組み合わせを含むが、これらに限定されない他の光学装置に対して同時に、または接続して使用され得、所望の目標を達成し得る。
【０００７】
本発明は、非常に広い範囲の用途およびユーザ（従って、その商業的、および産業的価値は大きい）を有しており、
（ａ）宇宙における人工衛星または他の天文学用機器、および／または装置の放射吸収面、物体、物質および／または素材の選択されたエリアまたは領域であって、吸収面、物体、物質および／または素材の、その環境に対する選択されたエリアまたは領域の温度上昇を達成したり、あるいは選択されたエリアまたは領域とその環境との温度差を達成し、太陽または他の地球外の天体または複数の天体に対する、宇宙における人工衛星または他の天文学用機器、および／または装置に関する（特に）姿勢の問題に関してスラスト、トルクおよび推進力を提供する、エリアまたは領域；
（ｂ）選択された放射吸収面、物体、物質および／または素材（食物および他の材料を含むが、これらに限定されない）であって、地球上での、宇宙での、または任意の他の地球外のもしくは宇宙の天体での寒冷な天候において、任意の人、物体または物（コンピュータ化されたロボットおよびサイバネティックスを含むが、これらに限定されない）によって製造、組立て、設置、建設、構成、場所決め、修理、維持、享受、占領、消費、使用、または取扱われる（屋内、屋外に関わりなく）、放射吸収面、物体、物質および／または素材；
（ｃ）身体もしくは身体組織（生死に関わらず）または他の物体（科学的研究または医学的手術および処置の対象または被検体を含むが、これらに限定されない）、ならびに調理および料理の調整における食品；ならびに
（ｄ）物体、物質および／または素材（食物および他の材料を含むが、これらに限定されない）であって、焦点が合わされ、集中され、または方向付けられもしくは方向付け直された放射によってその環境に対して温度の上昇を必要とする、物体、物質および／または素材；
へ、またはこれらに放射の焦点を合わせたり、放射を集中させたり、方向付けたりすることを含むが、これらに限定されない。
【発明を実施するための最良の形態】
【０００８】
（Ａ）図４Ａに示されている一実施形態は、２つの放射源を備えおり、１つのそのような放射源１０は、図１Ａに示されるような管状の筐体（（とりわけ）ステンレス鋼、低炭素鋼、アルミニウム、アルミニウム合金、アルミニウム−鉄合金、クロム、モリブデン、マグネシウム、ニッケル、ニオブ、ケイ素、チタン、ジルコニウム、希土鉱物または要素（セリウム、ランタン、ネオジムおよびイットリウムを含むが、これらに限定されない）、およびセラミックス、ニッケル−鉄合金、ニッケル−鉄−クロム合金、ニッケル−クロム合金、ニッケル−クロム−アルミニウム合金、および他の同様な合金、ならびにそれらの酸化物、三二酸化物、炭化物および硝酸塩、または混合合金もしくはそれらの酸化物、三二酸化物、炭化物、水和物または硝酸塩、特定の炭素質材料および他の赤外線放射材料）の中で、電気絶縁および熱伝導性材料（気体または固体材料、ケイ素材料の酸化物、三二酸化物、炭化物、水和物もしくは硝酸塩、または電融マグネシウム酸化物を含むが、これらに限定されない）の中に埋め込まれるか、またはこれによって囲まれる電気抵抗または他の加熱要素で構成され、図１Ｃに示される形で、良い反射材料で構成された概ね円形の帽子状またはリング状の反射要素２３の前に置かれる。放射源１０の端は、凹形反射面２０のアパーチャの方に向けられ、かつこの中を通され、凹形反射面２０（当業者に公知である望ましく、かつ適切な安全機能を有する）の背後のリセス内の適切な場所に収容され、かつ固定される。その結果、概ね円形の帽子状またはリング状の反射要素２３に面する放射源１０の点は、概ね円形の帽子状またはリング状の反射要素２３の凹形反射面２０の対応するセグメントの中心点または焦点領域に、またはこの近くに配置され、放射源のそのような点から発される放射は、実質的に図１Ｃに示されるような態様で、凹形反射面２０から遠ざかるように向けられるかまたは反射される。図１Ｄに示されるように、管状の筐体１６の半径方向の断面は、ケイ素材料の酸化物、三二酸化物、炭化物、水和物もしくは硝酸塩、または電融マグネシウム酸化物を（それらに限定されるものではないが）備え得、概ね円形、三角形、長方形、多角形、もしくは楕円形の形状、または選択された目的に対して放射の効果を最大にする観点で、概ね円形の帽子状またはリング状の反射要素の形状に照らして、それらのハイブリッドおよび／または組み合わせを取る。概ね円形の帽子状またはリング状の反射要素２３の凹形反射面２０は、２次、３次もしくは他の方程式の回転または他の態様から生成され得る円錐形（球形、放物形、楕円形、双曲線形である）の表面、または他の表面であり得る。図１Ａおよび図１Ｂに示されるように、概ね円形で帽子状またはリング状の反射要素２３から発される放射は、放射源から発されるエネルギーを節約しまたは効率的な使用を最大にする観点から、放射領域２１内に置かれたりまたは見出されたりするボディ、物体、物質または素材（食物および他の材料を含むが、これらに限定されない）を加熱または放射する目的で、放射領域２１内に主に集中され、一方、図１Ａおよび図１Ｂに示されるように、放射領域２１内にはない他のボディ、物体、物質または素材（食物および他の材料を含むが、これらに限定されず）に対する放射の効果を低減または最小にする。第２の放射源１３は、デバイスの少なくとも一部分の上に、この中にまたはこれを形成する中空区間２８内に位置し（図１Ａに示されるように）、少なくとも１つの光源（それらの半径方向の軸は垂直に、または垂直に対して様々な角度で設定され得る）を備え得（適切な場合、他の放射源、または光源と共に）、その少なくとも１つの光源は、図４Ａおよび図４Ｃに示されるような付随するランプベースアセンブリ６０によりそのような光源を受取るように設計されたランプソケットアセンブリ２９に嵌合するランプベースアセンブリ６０（アルミニウム処理されたリフレクターランプ、放物形のアルミニウム処理されたリフレクターランプ、標準的な白熱電球、リフレクター白熱電球、タングステンハロゲンランプ、ハロゲン赤外反射ランプ、フィラメントランプ、小型の蛍光ランプ、直菅形蛍光ランプ、誘導ランプ、メタルハライドランプ、ナトリウムランプ、水銀ランプ、高輝度放電ランプ、発光ダイオードランプ、紫外線ランプ、ネオンランプ、石英ランプ、センサーランプ、ダウンライト、エレクトロルミネセントランプ、フラッドライト、ソーラーライト、スポットライトを含むが、これらに限定されない）に結合されている。
【０００９】
（Ｂ）上記の段落（Ａ）に記述されたような別の実施形態において、第２の放射源１３は、図２Ａに示されるような少なくとも１つのデバイスを備え得（適切な場合、他の放射源または光源と共に）、このデバイスは、長手方向の軸が球状セグメント１２の中心点または焦点領域の中を通るランプベースアセンブリ６０と結合されたデバイスを含む。放射源１０は、１つの側で球状セグメント１２の凸面に面し、他の側で熱絶縁材料２６に面する電気絶縁および熱伝導性材料２５（気体または固体材料、ケイ素材料の酸化物、三二酸化物、炭化物、水和物もしくは硝酸塩、または電融マグネシウム酸化物を含むがこれらに限定されない）の中に埋め込まれ、かつこれによって囲まれる電気抵抗または他の加熱要素１１で構成される。そのような実施形態（当業者に公知である望ましく、かつ適切な安全機能を有する）は、それに付随するランプベースアセンブリ６０を有するそのようなデバイスを受取るように設計されたランプソケットアセンブリ２９に嵌合する。そのようなデバイスは、球状セグメント１２の凸面およびランプベースアセンブリ６０に配置された放射源１０を備え、ランプベースアセンブリ６０は、電球のように、ランプソケットアセンブリ２９によって受け入れられる。放射源１０は、球状セグメント１２の表面温度を適切なレベルまで上げることのできる任意のデバイスまたは装置から成り得、赤外線放射は、図４Ａおよび図４Ｂに示されるように、球状セグメント１２の中心点または焦点領域で、またはこれに向かって、より小さなエリアまたは領域の上に焦点が合わされるか、または集中される。
【００１０】
（Ｃ）上記の段落（Ａ）に記述されたようなデバイスのさらに別の実施形態において、第２の放射源１３は、図３Ａに示されるような少なくとも１つのデバイスを備え得（適切な場合、他の放射源または光源と共に）、このデバイスは、長手方向の軸が球状セグメント１２の中心点または焦点領域１５の中を通るランプベースアセンブリ６０と結合されたデバイスを含む。放射源１０は、１つの側で球状セグメント１２の凹面に面し、他の側で熱絶縁材料２６に面する電気絶縁および熱伝導性材料２５（気体または固体材料、ケイ素材料の酸化物、三二酸化物、炭化物、水和物もしくは硝酸塩、または電融マグネシウム酸化物を含むがこれらに限定されない）の中に埋め込まれ、かつこれによって囲まれる電気抵抗または他の加熱要素１１で構成される。そのような実施形態（当業者に公知である望ましく、かつ適切な安全機能を有する）は、それに付随するランプベースアセンブリ６０を有するそのようなデバイスを受取るように設計されたランプソケットアセンブリ２９に嵌合する。そのようなデバイスは、球状セグメント１２の凹面およびランプベースアセンブリ６０に配置された放射源１０を備え、ランプベースアセンブリ６０は、電球のように、ランプソケットアセンブリ２９によって受け入れられる。放射源１０は、球状セグメント１２の表面温度を適切なレベルまで上げることのできる任意のデバイスまたは装置から成り得、赤外線放射は、図４Ａおよび図４Ｃに示されるように、球状セグメント１２の中心点または焦点領域１５から離れて、より大きなエリアまたは領域の上に分配または分散される。
【００１１】
当業者は、本発明の、および例示された特定の実施形態における多くのハイブリッド、順序の変更、修正、変形、および／または均等物（例えば、限定するものではないが、球状のボディ、形状および／または形の特定の局面が、放物形、楕円形、および／または双曲線形のボディ、形状および／形に対して適用可能であり、またはこれらに対して実装され得る）が、その精神または本開示の請求項の範囲から逸脱することなく、上記の発明および開示に照らして可能であり、かつ作られ得る事を十分に理解できる。本開示の請求項は、そのようなハイブリッド、順序の変更、修正、変形、および／または均等物を含むものと考えられることは重要である。当業者は、本開示が基づいている考えおよび概念が、本発明の主旨、本質、目標および／または目的を実装または実行するための他の構造、構造、構成、用途、システムおよび方法を考案、設計する基礎または前提として利用され、役立てられ得ることを理解する。
【００１２】
上記の実施形態、図式、および記述に関して、サイズの変更、材料、物質、素材、形状、範囲、形、動作および相互作用の機能および態様、アセンブリ、およびユーザを含むが、これらに限定されない本発明および開示の部品の最適な寸法上のまたは他の関係は、当業者にとって容易に理解され、明白であると考えられ、本図面に例示され、本明細書に記述された関係および／または考案と同等なすべての関係および／または考案は、本発明および開示に包含され、含まれ、かつこれらの重要な部分を形成することを、当業者はさらに理解する。従って、前述は、本発明および開示の考えまたは原理の単なる例示および論証と考えられる。さらに、多くのハイブリッド、順序の変更、修正、変形、および／または均等物が、当業者に容易に想到されるので、示され記述された通りに、そのままの機能性、アセンブリ、構成、構造および動作に本発明および開示を限定することは望まれず、従って、すべての適切なハイブリッド、順序の変更、修正、変形、および／または均等物が用いられ、本発明および開示の範囲に含まれる。
【００１３】
前述の電磁スペクトル内での赤外線放射は、例示目的であり、特許請求の範囲によって限定されるものを除き、本発明の適用を、電波、マイクロ波、紫外線波、Ｘ線、ガンマ線、および電磁スペクトル内またはその外側でのすべての他の形の放射に限定するものではない。
【図面の簡単な説明】
【００１４】
【図１Ａ】図１Ａは、ラジエータの斜視図である。
【図１Ｂ】図１Ｂおよび図１Ｃは、図１Ａのラジエータの側面断面図である。
【図１Ｃ】図１Ｂおよび図１Ｃは、図１Ａのラジエータの側面断面図である。
【図１Ｄ】図１Ｄは、図１Ａのラジエータの放射部材の斜視図および側面断面図である。
【図２Ａ】図２Ａは、ランプベースアセンブリを有するラジエータの斜視図である。
【図２Ｂ】図２Ｂは、図２Ａのラジエータおよびランプベースアセンブリの側面断面図である。
【図３Ａ】図３Ａは、ランプベースアセンブリを有するラジエータの斜視図である。
【図３Ｂ】図３Ｂは、図３Ａのラジエータおよびランプベースアセンブリの側面断面図である。
【図４Ａ】図４Ａは、本発明によるコンボタイプの放射および照明アセンブリの斜視図である。
【図４Ｂ】図４Ｂおよび図４Ｃは、図４Ａのコンボタイプの放射および照明アセンブリの側面断面図である。
【図４Ｃ】図４Ｂおよび図４Ｃは、図４Ａのコンボタイプの放射および照明アセンブリの側面断面図である。
【図１Ａ】
2009538494.tif 000003
【図１Ｂ】
2009538494.tif 000004
【図１Ｃ】
2009538494.tif 000005
【図１Ｄ】
2009538494.tif 000006
【図２Ａ】
2009538494.tif 000007
【図２Ｂ】
2009538494.tif 000008
【図３Ａ】
2009538494.tif 000009
【図３Ｂ】
2009538494.tif 000010
【図４Ａ】
2009538494.tif 000011
【図４Ｂ】
2009538494.tif 000012
【図４Ｃ】
2009538494.tif 000013
【国際調査報告】
2009538494.tif 000014
2009538494.tif 000015
2009538494.tif 000016